(57)【要約】【課題】かごの台数より少ない数の電話回線によって、各かご内のインターホンと外部との通話を可能にするエレベーターシステムを提供する。【解決手段】エレベーターシステムは、インターホン１１、通信装置１、インターホン１５、及び通信装置２を備える。通信装置１は、インターホン１１に対して特定の操作が行われると、電話回線４が使用されていなければ電話回線４に接続する。通信装置１は、通信装置２から通話要求信号を受信すると、電話回線４が使用されていなければ通信装置２を電話回線４に接続させる。【選択図】図２
2019137492.tif 000002
【特許請求の範囲】
【請求項１】
第１かごに設けられた第１インターホンと、
特定の電話回線を使用して前記第１インターホンと外部との通話を可能にする第１通信装置と、
第２かごに設けられた第２インターホンと、
前記電話回線を使用して前記第２インターホンと外部との通話を可能にする第２通信装置と、
を備え、
前記第１通信装置は、
前記第１インターホンに対して特定の操作が行われると、前記電話回線が使用されていなければ前記電話回線に接続し、
前記第２通信装置から通話要求信号を受信すると、前記電話回線が使用されていなければ前記第２通信装置を前記電話回線に接続させるエレベーターシステム。
【請求項２】
前記第１通信装置は、前記第２通信装置から通話要求信号を受信した際に前記電話回線が使用されていれば、前記第２通信装置に待機要求信号を送信し、
前記第２通信装置は、前記第１通信装置から待機要求信号を受信すると、一定時間が経過した後に前記第１通信装置に通話要求信号を再び送信する請求項１に記載のエレベーターシステム。
【請求項３】
停電時に前記第１インターホンに電力を供給する第１予備電源と、
停電時に前記第１通信装置に電力を供給する第２予備電源と、
停電時に前記第２インターホンに電力を供給する第３予備電源と、
停電時に前記第２通信装置に電力を供給する第４予備電源と、
を更に備えた請求項１又は請求項２に記載のエレベーターシステム。
【請求項４】
前記第１通信装置は、前記第１インターホンに対して前記特定の操作が行われた際に前記第２通信装置が前記電話回線に接続されていれば、前記第２インターホンの使用者の通話相手に通知音を聞かせるための通知音要求信号を前記第２通信装置に送信する請求項１から請求項３の何れか一項に記載のエレベーターシステム。
【請求項５】
第３かごに設けられた第３インターホンと、
前記電話回線を使用して前記第３インターホンと外部との通話を可能にする第３通信装置と、
を更に備え、
前記第１通信装置は、前記第３通信装置から通話要求信号を受信すると、前記電話回線が使用されていなければ前記第３通信装置を前記電話回線に接続させる請求項１から請求項４の何れか一項に記載のエレベーターシステム。
【請求項６】
前記第１通信装置は、前記第３通信装置から通話要求信号を受信した際に前記電話回線が使用されていれば、前記第３通信装置に待機要求信号を送信し、
前記第３通信装置は、前記第１通信装置から待機要求信号を受信すると、一定時間が経過した後に前記第１通信装置に通話要求信号を再び送信する請求項５に記載のエレベーターシステム。
【請求項７】
前記第１通信装置は、
前記第２通信装置から通話要求信号を受信した際に前記第３通信装置が前記電話回線に接続されていれば、前記第３インターホンの使用者の通話相手に通知音を聞かせるための通知音要求信号を前記第３通信装置に送信し、
前記第３通信装置から通話要求信号を受信した際に前記第２通信装置が前記電話回線に接続されていれば、前記第２インターホンの使用者の通話相手に通知音を聞かせるための通知音要求信号を前記第２通信装置に送信する請求項５又は請求項６に記載のエレベーターシステム。
【請求項８】
第１かごに設けられた第１インターホンと、
特定の電話回線を使用して前記第１インターホンと外部との通話を可能にする第１通信装置と、
第２かごに設けられた第２インターホンと、
前記電話回線を使用して前記第２インターホンと外部との通話を可能にする第２通信装置と、
を備え、
前記第１通信装置は、
前記電話回線を使用して外部から前記第１インターホンに対する通話要求信号を受信すると、前記電話回線に接続し、
前記電話回線を使用して外部から前記第２インターホンに対する通話要求信号を受信すると、前記第２通信装置を前記電話回線に接続させるエレベーターシステム。
【請求項９】
前記第１通信装置は、前記第１インターホンに対して通話のための特定の操作が行われた際に前記第２通信装置が前記電話回線に接続されていれば、前記第２インターホンの使用者の通話相手に通知音を聞かせるための通知音要求信号を前記第２通信装置に送信する請求項８に記載のエレベーターシステム。
【請求項１０】
停電時に前記第１インターホンに電力を供給する第１予備電源と、
停電時に前記第１通信装置に電力を供給する第２予備電源と、
停電時に前記第２インターホンに電力を供給する第３予備電源と、
停電時に前記第２通信装置に電力を供給する第４予備電源と、
を更に備えた請求項８又は請求項９に記載のエレベーターシステム。
【請求項１１】
第３かごに設けられた第３インターホンと、
前記電話回線を使用して前記第３インターホンと外部との通話を可能にする第３通信装置と、
を更に備え、
前記第１通信装置は、前記電話回線を使用して外部から前記第３インターホンに対する通話要求信号を受信すると、前記第３通信装置を前記電話回線に接続させる請求項８から請求項１０の何れか一項に記載のエレベーターシステム。
【請求項１２】
前記第１通信装置は、
前記第２通信装置から通話要求信号を受信した際に前記第３通信装置が前記電話回線に接続されていれば、前記第３インターホンの使用者の通話相手に通知音を聞かせるための通知音要求信号を前記第３通信装置に送信し、
前記第３通信装置から通話要求信号を受信した際に前記第２通信装置が前記電話回線に接続されていれば、前記第２インターホンの使用者の通話相手に通知音を聞かせるための通知音要求信号を前記第２通信装置に送信する請求項１１に記載のエレベーターシステム。
【発明の詳細な説明】
【技術分野】
【０００１】
この発明は、エレベーターシステムに関する。
【背景技術】
【０００２】
特許文献１に、エレベーター装置が記載されている。特許文献１に記載されたエレベーター装置では、かご内にいる人は、インターホンを使用することによって外部の人と通話できる。この通話には、公衆回線が用いられる。
【先行技術文献】
【特許文献】
【０００３】
【特許文献１】特開２００８−１２０５８１号公報
【発明の概要】
【発明が解決しようとする課題】
【０００４】
例えば、エレベーターシステムには複数台のかごが備えられる。各かごには、外部の人と通話するためのインターホンが設けられる。特許文献１に記載されたエレベーター装置をこのようなエレベーターシステムに適用すると、かごの台数分の電話回線を用意しなければならないといった問題があった。
【０００５】
この発明は、上述のような課題を解決するためになされた。この発明の目的は、かごの台数より少ない数の電話回線によって、各かご内のインターホンと外部との通話を可能にするエレベーターシステムを提供することである。
【課題を解決するための手段】
【０００６】
この発明に係るエレベーターシステムは、第１かごに設けられた第１インターホンと、特定の電話回線を使用して第１インターホンと外部との通話を可能にする第１通信装置と、第２かごに設けられた第２インターホンと、電話回線を使用して第２インターホンと外部との通話を可能にする第２通信装置と、を備える。第１通信装置は、第１インターホンに対して特定の操作が行われると、電話回線が使用されていなければ電話回線に接続する。第１通信装置は、第２通信装置から通話要求信号を受信すると、電話回線が使用されていなければ第２通信装置を電話回線に接続させる。
【０００７】
この発明に係るエレベーターシステムは、第１かごに設けられた第１インターホンと、特定の電話回線を使用して第１インターホンと外部との通話を可能にする第１通信装置と、第２かごに設けられた第２インターホンと、電話回線を使用して第２インターホンと外部との通話を可能にする第２通信装置と、を備える。第１通信装置は、電話回線を使用して外部から第１インターホンに対する通話要求信号を受信すると、電話回線に接続する。第１通信装置は、電話回線を使用して外部から第２インターホンに対する通話要求信号を受信すると、第２通信装置を電話回線に接続させる。
【発明の効果】
【０００８】
この発明に係るエレベーターシステムであれば、かごの台数より少ない数の電話回線によって、各かご内のインターホンと外部との通話が可能になる。
【図面の簡単な説明】
【０００９】
【図１】実施の形態１におけるエレベーターシステムの例を示す図である。
【図２】実施の形態１におけるエレベーターシステムの動作例を説明するための図である。
【図３】実施の形態１におけるエレベーターシステムの他の動作例を説明するための図である。
【図４】通信装置のハードウェア資源の例を示す図である。
【図５】通信装置のハードウェア資源の他の例を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、実施の形態１におけるエレベーターシステムの例を示す図である。図１は、エレベーターシステムがＡ号機、Ｂ号機、及びＣ号機を備える例を示す。本システムは、Ａ号機及びＢ号機のみを備えても良い。本システムは、４台以上のエレベーターを備えても良い。
【００１２】
図１に示すエレベーターシステムは、例えば通信装置１、通信装置２、及び通信装置３を備える。通信装置１は、Ａ号機が外部と通信するための装置である。通信装置２は、Ｂ号機が外部と通信するための装置である。通信装置３は、Ｃ号機が外部と通信するための装置である。通信装置１は、電話回線４を介してシステム外部の監視センター５と接続される。通信装置２は、通信線６によって通信装置１に接続される。通信装置３は、通信線７によって通信装置２に接続される。即ち、通信装置２は、通信線６及び電話回線４を介して監視センター５と接続される。通信装置３は、通信線７、通信線６及び電話回線４を介して監視センター５と接続される。
【００１３】
図１に示す例では、通信装置１は、マスター機として機能する。通信装置２及び通信装置３は、スレーブ機として機能する。通信装置３は、通信線によって通信装置１に直接接続されても良い。通信装置３は、通信線７と他の通信線によって通信装置１と通信装置２の双方に直接接続されても良い。本システムが４台のエレベーターを備える場合、本システムには例えば３台のスレーブ機が備えられる。
【００１４】
通信装置１は、例えばＡ号機の制御盤８とかご９とに接続される。制御盤８は、例えば巻上機１０を制御する。巻上機１０は、かご９を駆動するための装置である。かご９に、インターホン１１が設けられる。インターホン１１には、例えばマイクとスピーカーとが備えられる。通信装置１は、電話回線４を使用してインターホン１１と外部との通話を可能にする。図１に示す例では、かご９の中にいる人は、インターホン１１を使用することにより、監視センター５にいるオペレーターと話すことができる。
【００１５】
通信装置２は、例えばＢ号機の制御盤１２とかご１３とに接続される。制御盤１２は、例えば巻上機１４を制御する。巻上機１４は、かご１３を駆動するための装置である。かご１３に、インターホン１５が設けられる。インターホン１５には、例えばマイクとスピーカーとが備えられる。通信装置２は、電話回線４を使用してインターホン１５と外部との通話を可能にする。図１に示す例では、かご１３の中にいる人は、インターホン１５を使用することにより、監視センター５にいるオペレーターと話すことができる。
【００１６】
通信装置３は、例えばＣ号機の制御盤１６とかご１７とに接続される。制御盤１６は、例えば巻上機１８を制御する。巻上機１８は、かご１７を駆動するための装置である。かご１７に、インターホン１９が設けられる。インターホン１９には、例えばマイクとスピーカーとが備えられる。通信装置３は、電話回線４を使用してインターホン１９と外部との通話を可能にする。図１に示す例では、かご１７の中にいる人は、インターホン１９を使用することにより、監視センター５にいるオペレーターと話すことができる。
【００１７】
エレベーターシステムは、停電用の電源を備えても良い。例えば、通信装置１に予備電源２０が接続される。かご９に予備電源２１が設けられる。予備電源２０は、停電時に通信装置１に電力を供給する。予備電源２１は、停電時にインターホン１１に電力を供給する。予備電源２０及び予備電源２１が備えられていれば、停電が発生しても、かご９の中にいる人は監視センター５にいるオペレーターと話をすることができる。
【００１８】
通信装置２に予備電源２２が接続される。かご１３に予備電源２３が設けられる。予備電源２２は、停電時に通信装置２に電力を供給する。予備電源２３は、停電時にインターホン１５に電力を供給する。予備電源２２及び予備電源２３が備えられていれば、停電が発生しても、かご１３の中にいる人は監視センター５にいるオペレーターと話をすることができる。
【００１９】
通信装置３に予備電源２４が接続される。かご１７に予備電源２５が設けられる。予備電源２４は、停電時に通信装置３に電力を供給する。予備電源２５は、停電時にインターホン１９に電力を供給する。予備電源２４及び予備電源２５が備えられていれば、停電が発生しても、かご１７の中にいる人は監視センター５にいるオペレーターと話をすることができる。
【００２０】
次に、図２及び図３も参照し、本エレベーターシステムが有する機能について詳しく説明する。図２は、実施の形態１におけるエレベーターシステムの動作例を説明するための図である。
【００２１】
Ｂ号機のかご１３にいる人が監視センター５にいるオペレーターと話をしたい場合、その人は、インターホン１５に対して特定の操作を行う。例えば、かご１３にいる人は、インターホン１５に備えられた通話ボタンを押す。インターホン１５の通話ボタンが押されたことは、通信装置２によって検出される。通信装置２は、インターホン１５の通話ボタンが押されると、発報が必要であることを判定する。通信装置２は、発報が必要になると、通信装置１に通話要求信号を送信することによって通信装置１に対して問い合わせを行う（Ｓ１０１）。
【００２２】
通信装置１は、通話要求信号を受信すると、電話回線４が現在使用されているか否かを判定する。例えば、通信装置２がＳ１０１で送信した通話要求信号を通信装置１が受信した時に、電話回線４は使用されていない。かかる場合、通信装置１は、通信装置２からの通話要求を許可する（Ｓ１０２）。これにより、通信装置２が電話回線４に接続され、電話回線４が通信装置２によって占有される。かご１３にいる人は、監視センター５にいるオペレーターと話をすることができる。
【００２３】
通信装置２及び通信装置３は、同様の機能を有する。例えば、Ｃ号機のかご１７にいる人が監視センター５にいるオペレーターと話をしたい場合、その人は、インターホン１９に備えられた通話ボタンを押す。インターホン１９の通話ボタンが押されたことは、通信装置３によって検出される。通信装置３は、インターホン１９の通話ボタンが押されると、発報が必要であることを判定する。通信装置３は、発報が必要になると、通信装置１に通話要求信号を送信することによって通信装置１に対して問い合わせを行う（Ｓ１０３）。
【００２４】
図２に示す例では、通信装置３がＳ１０３で送信した通話要求信号を通信装置１が受信した時に、電話回線４は通信装置２によって使用されている。かかる場合、通信装置１は、通信装置３からの通話要求を許可しない（Ｓ１０４）。例えば、通信装置１は、電話回線４が使用されている時に通話要求信号を受信すると、その通話要求信号を送信してきた通信装置に待機要求信号を送信する。図２に示す例であれば、通信装置１は、Ｓ１０４において通信装置３に待機要求信号を送信する。
【００２５】
通信装置３が通信装置１に通話要求信号を送信した時に電話回線４が通信装置１によって使用されている場合も上記と同様である。例えば、Ａ号機のかご９にいる人が監視センター５にいるオペレーターと話をしたい場合、その人は、インターホン１１に備えられた通話ボタンを押す。インターホン１１の通話ボタンが押されたことは、通信装置１によって検出される。通信装置１は、インターホン１１の通話ボタンが押された際に電話回線４が使用されていなければ、電話回線４に接続する。これにより、かご９にいる人は、監視センター５にいるオペレーターと話をすることができる。通信装置１は、電話回線４を使用している時に例えば通信装置３から通話要求信号を受信すると、通信装置３に待機要求信号を送信する。
【００２６】
通信装置３は、通信装置１から待機要求信号を受信すると、通信装置１に対して前回問い合わせをしてから一定時間が経過したか否かを判定する。通信装置３は、前回の問い合わせから一定時間が経過すると、通信装置１に通話要求信号を送信することによって通信装置１に対する問い合わせを再び行う（Ｓ１０５）。図２に示す例では、通信装置１は、Ｓ１０６において通信装置３からの通話要求を許可せず、通信装置３に待機要求信号を再び送信する。
【００２７】
例えば、通信装置１がＳ１０６で待機要求信号を送信した直後に、通信装置２と監視センター５との回線が切れた場合を考える。通信装置３は、前回の問い合わせから一定時間が経過すると、通信装置１に通話要求信号を送信することによって通信装置１に対する問い合わせを再び行う（Ｓ１０７）。通信装置３がＳ１０７で送信した通話要求信号を通信装置１が受信した時に、電話回線４は使用されていない。かかる場合、通信装置１は、通信装置３からの通話要求を許可する（Ｓ１０８）。これにより、通信装置３が電話回線４に接続され、電話回線４が通信装置３によって占有される。かご１７にいる人は、監視センター５にいるオペレーターと話をすることができる。
【００２８】
図２は、システム内部からの要求によって通話を可能にする例である。以下に、外部からの要求によって通話を可能にする例について説明する。図３は、実施の形態１におけるエレベーターシステムの他の動作例を説明するための図である。
【００２９】
監視センター５は、電話回線４を使用して本システムに対する呼び出しを行う。本システムでは、監視センター５からの着信に対して、マスター機である通信装置１が応答する（Ｓ２０１）。この時、通信装置１は、監視センター５から号機指示も受信する（Ｓ２０２）。
【００３０】
例えば、監視センター５は、電話回線４を使用してインターホン１５に対する通話要求信号を送信する。通信装置１は、監視センター５から通話要求信号を受信すると、受信した号機指示に基づいて応答指示を行う（Ｓ２０３）。上記例であれば、通信装置１は、通信装置２に対して応答指示を行う。通信装置２が通信装置１から受信した応答指示を受諾することにより（Ｓ２０４）、通信装置１が電話回線４から切断され、通信装置２が電話回線４に接続される。これにより、電話回線４は通信装置２によって占有される。監視センター５にいるオペレーターは、かご１３にいる人と話をすることができる。
【００３１】
上述したように、通信装置２及び通信装置３は同様の機能を有する。例えば、インターホン１９に対する通話要求信号を通信装置１が監視センター５から受信すると、通信装置１は、通信装置３に対して応答指示を行う。通信装置３が通信装置１から受信した応答指示を受諾すると、通信装置１が電話回線４から切断され、通信装置３が電話回線４に接続される。これにより、監視センター５にいるオペレーターは、かご１７にいる人と話をすることができる。また、通信装置１は、インターホン１１に対する通話要求信号を監視センター５から受信すると、電話回線４に接続する。これにより、監視センター５にいるオペレーターは、かご９にいる人と話をすることができる。
【００３２】
本システムは、外部に対する通知音機能を備えても良い。例えば、かご１７にいる人がインターホン１９に備えられた通話ボタンを押すと、通信装置３から通信装置１に対して通話要求信号が出力される（Ｓ２０５）。図３に示す例では、Ｓ２０５で通信装置１が通信装置３から問い合わせを受けた時に、電話回線４は通信装置２によって使用されている。かかる場合、通信装置１は、通信装置３からの通話要求を許可しない（Ｓ２０６）。通信装置１は、通信装置３に対して待機要求信号を送信する。
【００３３】
また、通信装置１は、電話回線４が使用されている時に通話要求信号を受信すると、現在電話回線４を使用している通信装置に対して外部に対する通知指示を行う（Ｓ２０７）。例えば、通信装置１がＳ２０５で通信装置３から通話要求信号を受信した時に、電話回線４は通信装置２によって使用されている。かかる場合、通信装置１は、通信装置２に対して通知音要求信号を送信する。通知音要求信号は、インターホンの使用者の通話相手に通知音を聞かせるための信号である。図３に示す例であれば、通信装置１は、Ｓ２０７において、インターホン１５の使用者の通話相手に通知音を聞かせるための通知音要求信号を通信装置２に送信する。
【００３４】
通信装置２は、通信装置１から通知音要求信号を受信すると、通知音を発生させる（Ｓ２０８）。このため、監視センター５にいるオペレーターは、かご１３にいる人と話をしている時にこの通知音を聞く。オペレーターは、この通知音を聞くことにより、かご１３にいる人以外に通話したい人がいることを知ることができる。
【００３５】
同様に、通信装置１が通信装置２から通話要求信号を受信した時に電話回線４が通信装置３によって使用されていれば、通信装置１は、通信装置３に対して通知音要求信号を送信する。通信装置３は、通信装置１から通知音要求信号を受信すると、通知音を発生させる。これにより、監視センター５にいるオペレーターは、かご１７にいる人以外に通話したい人がいることを知ることができる。
【００３６】
また、通信装置１は、インターホン１１の通話ボタンが押された際に通信装置２が電話回線４に接続されていれば、通信装置２に対して通知音要求信号を送信する。同様に、通信装置１は、インターホン１１の通話ボタンが押された際に通信装置３が電話回線４に接続されていれば、通信装置３に対して通知音要求信号を送信する。
【００３７】
この通知音機能は、図２に示す例で採用しても良い。
【００３８】
本実施の形態に示す例であれば、かごの台数より少ない数の電話回線によって、各かご内のインターホンと外部との通話が可能になる。電話回線は１本だけでも良い。電話回線は複数本用意されても良い。
【００３９】
停電が発生すると、複数のかごで閉じ込めが発生することがある。このため、本システムは、非常電源が備えられているシステムにおいて特に有効な手段となり得る。
【００４０】
本実施の形態では、システムから１種類の警告音を発生させる例について説明した。通信装置１は、通知する内容に応じて異なる通知音要求信号を送信しても良い。通知音要求信号を受信した通信装置では、受信した信号に応じた通知音を発生させる。この例であれば、監視センター５にいるオペレーターは、通知音を聞くことによって通知内容の重要度を把握することができる。通知音は、音声合成によって生成されても良い。
【００４１】
図４は、通信装置１のハードウェア資源の例を示す図である。通信装置１は、ハードウェア資源として、例えばプロセッサ２６とメモリ２７とを含む処理回路２８を備える。通信装置１は、メモリ２７に記憶されたプログラムをプロセッサ２６によって実行することにより、上述した各機能を実現する。
【００４２】
プロセッサ２６は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ２７として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００４３】
図５は、通信装置１のハードウェア資源の他の例を示す図である。図５に示す例では、通信装置１は、例えばプロセッサ２６、メモリ２７、及び専用ハードウェア２９を含む処理回路２８を備える。図５は、通信装置１が有する機能の一部を専用ハードウェア２９によって実現する例を示す。通信装置１が有する機能の全部を専用ハードウェア２９によって実現しても良い。専用ハードウェア２９として、単一回路、複合回路、プログラム化したプロセッサ、並列プログラム化したプロセッサ、ＡＳＩＣ、ＦＰＧＡ、又はこれらの組み合わせを採用できる。
【００４４】
通信装置２のハードウェア資源は、図４に示す例と同様である。通信装置２は、ハードウェア資源として、例えばプロセッサとメモリとを含む処理回路を備える。通信装置２は、メモリに記憶されたプログラムをプロセッサによって実行することにより、上述した各機能を実現する。通信装置２は、ハードウェア資源として、プロセッサ、メモリ、及び専用ハードウェアを含む処理回路を備えても良い。また、通信装置２が有する機能の全部を専用ハードウェアによって実現しても良い。
【００４５】
通信装置３のハードウェア資源は、図４に示す例と同様である。通信装置３は、ハードウェア資源として、例えばプロセッサとメモリとを含む処理回路を備える。通信装置３は、メモリに記憶されたプログラムをプロセッサによって実行することにより、上述した各機能を実現する。通信装置３は、ハードウェア資源として、プロセッサ、メモリ、及び専用ハードウェアを含む処理回路を備えても良い。また、通信装置３が有する機能の全部を専用ハードウェアによって実現しても良い。
【符号の説明】
【００４６】
１〜３  通信装置
４  電話回線
５  監視センター
６  通信線
７  通信線
８  制御盤
９  かご
１０  巻上機
１１  インターホン
１２  制御盤
１３  かご
１４  巻上機
１５  インターホン
１６  制御盤
１７  かご
１８  巻上機
１９  インターホン
２０〜２５  予備電源
２６  プロセッサ
２７  メモリ
２８  処理回路
２９  専用ハードウェア
【図１】
2019137492.tif 000003
【図２】
2019137492.tif 000004
【図３】
2019137492.tif 000005
【図４】
2019137492.tif 000006
【図５】
2019137492.tif 000007
【手続補正書】
【提出日】平成31年4月17日(2019.4.17)
【手続補正１】
【補正対象書類名】特許請求の範囲
【補正対象項目名】請求項１
【補正方法】変更
【補正の内容】
【請求項１】
第１かごに設けられた第１インターホンと、
特定の電話回線を使用して前記第１インターホンと外部との通話を可能にする第１通信装置と、
第２かごに設けられた第２インターホンと、
前記電話回線を使用して前記第２インターホンと外部との通話を可能にする第２通信装置と、
を備え、
前記第１通信装置は、
前記第１インターホンに対して特定の操作が行われると、前記電話回線が使用されていなければ前記電話回線に接続し、
前記第２通信装置から通話要求信号を受信すると、前記電話回線が使用されていなければ前記第２通信装置を前記電話回線に接続させ、
前記第１通信装置は、前記第１インターホンに対して前記特定の操作が行われた際に前記第２通信装置が前記電話回線に接続されていれば、前記第２インターホンの使用者の通話相手のみに通知音を聞かせるための通知音要求信号を前記第２通信装置に送信するエレベーターシステム。
【手続補正２】
【補正対象書類名】特許請求の範囲
【補正対象項目名】請求項４
【補正方法】変更
【補正の内容】
【請求項４】
前記第１通信装置は、前記通話相手が通知音を聞くことによって通知内容の重要度を把握することができるように、通知する内容に応じて異なる通知音要求信号を前記第２通信装置に送信する請求項１から請求項３の何れか一項に記載のエレベーターシステム。
【手続補正３】
【補正対象書類名】特許請求の範囲
【補正対象項目名】請求項８
【補正方法】変更
【補正の内容】
【請求項８】
第１かごに設けられた第１インターホンと、
特定の電話回線を使用して前記第１インターホンと外部との通話を可能にする第１通信装置と、
第２かごに設けられた第２インターホンと、
前記電話回線を使用して前記第２インターホンと外部との通話を可能にする第２通信装置と、
を備え、
前記第１通信装置は、
前記電話回線を使用して外部から前記第１インターホンに対する通話要求信号を受信すると、前記電話回線に接続し、
前記電話回線を使用して外部から前記第２インターホンに対する通話要求信号を受信すると、前記第２通信装置を前記電話回線に接続させ、
前記第１通信装置は、前記第１インターホンに対して通話のための特定の操作が行われた際に前記第２通信装置が前記電話回線に接続されていれば、前記第２インターホンの使用者の通話相手のみに通知音を聞かせるための通知音要求信号を前記第２通信装置に送信するエレベーターシステム。
【手続補正４】
【補正対象書類名】特許請求の範囲
【補正対象項目名】請求項９
【補正方法】変更
【補正の内容】
【請求項９】
前記第１通信装置は、前記通話相手が通知音を聞くことによって通知内容の重要度を把握することができるように、通知する内容に応じて異なる通知音要求信号を前記第２通信装置に送信する請求項８に記載のエレベーターシステム。
【手続補正５】
【補正対象書類名】明細書
【補正対象項目名】０００６
【補正方法】変更
【補正の内容】
【０００６】
この発明に係るエレベーターシステムは、第１かごに設けられた第１インターホンと、特定の電話回線を使用して第１インターホンと外部との通話を可能にする第１通信装置と、第２かごに設けられた第２インターホンと、電話回線を使用して第２インターホンと外部との通話を可能にする第２通信装置と、を備える。第１通信装置は、第１インターホンに対して特定の操作が行われると、電話回線が使用されていなければ電話回線に接続する。第１通信装置は、第２通信装置から通話要求信号を受信すると、電話回線が使用されていなければ第２通信装置を電話回線に接続させる。第１通信装置は、第１インターホンに対して特定の操作が行われた際に第２通信装置が電話回線に接続されていれば、第２インターホンの使用者の通話相手のみに通知音を聞かせるための通知音要求信号を第２通信装置に送信する。
【手続補正６】
【補正対象書類名】明細書
【補正対象項目名】０００７
【補正方法】変更
【補正の内容】
【０００７】
この発明に係るエレベーターシステムは、第１かごに設けられた第１インターホンと、特定の電話回線を使用して第１インターホンと外部との通話を可能にする第１通信装置と、第２かごに設けられた第２インターホンと、電話回線を使用して第２インターホンと外部との通話を可能にする第２通信装置と、を備える。第１通信装置は、電話回線を使用して外部から第１インターホンに対する通話要求信号を受信すると、電話回線に接続する。第１通信装置は、電話回線を使用して外部から第２インターホンに対する通話要求信号を受信すると、第２通信装置を電話回線に接続させる。第１通信装置は、第１インターホンに対して通話のための特定の操作が行われた際に第２通信装置が電話回線に接続されていれば、第２インターホンの使用者の通話相手のみに通知音を聞かせるための通知音要求信号を第２通信装置に送信する。